(57)【要約】【課題】回収タンクが回収対象物で汚れ難い掃除機が要望されている。また、回収タンクが回収対象物で汚れ難い袋が要望されている。【解決手段】液体を含む回収対象物を回収タンク１に回収する掃除機に、回収対象物を回収タンク１に向けて流すホース２と、回収タンク１内に装着され、回収対象物を溜める袋３と、が備えられている。袋３に、回収タンク１の周壁１ａを貫通する状態で設けられ、回収対象物が吸い込まれる吸込部１６が備えられている。吸込部１６のうち周壁１ａから回収タンク１の外部に突出する突出部分１６ｃに、ホース２が接続されている。【選択図】図３
2020198931.tif 000002
【特許請求の範囲】
【請求項１】
液体を含む回収対象物を回収タンクに回収する掃除機であって、
前記回収対象物を前記回収タンクに向けて流すホースと、
前記回収タンク内に装着され、前記回収対象物を溜める袋と、が備えられ、
前記袋に、前記回収タンクの周壁を貫通する状態で設けられ、前記回収対象物が吸い込まれる吸込部が備えられ、
前記吸込部のうち前記周壁から前記回収タンクの外部に突出する突出部分に、前記ホースが接続されている掃除機。
【請求項２】
前記周壁に、前記吸込部が貫通する貫通孔が形成され、
前記周壁のうち前記貫通孔の周囲に、前記吸込部が取り付けられる取り付け部材が設けられている請求項１に記載の掃除機。
【請求項３】
前記突出部分に取り付けられ、前記ホースを前記突出部分に接続する継手部材が備えられ、
前記吸込部は、前記吸込部と前記継手部材とで前記取り付け部材を挟んだ状態で前記取り付け部材に取り付けられている請求項２に記載の掃除機。
【請求項４】
前記取り付け部材は、前記回収タンクとは別の部材によって構成され、前記周壁の外周面に着脱可能に取り付けられている請求項２又は３に記載の掃除機。
【請求項５】
前記取り付け部材と前記周壁の外周面との間に、前記貫通孔を介して前記回収タンクの外部と前記回収タンクの内部との間で空気が流通するのを防止するシール部材が設けられている請求項４に記載の掃除機。
【請求項６】
液体を含む回収対象物を回収タンクに回収する掃除機において、前記回収タンク内に装着され、前記回収対象物を溜める袋であって、
前記回収対象物が吸い込まれる吸込部が備えられ、
前記吸込部は、前記回収対象物を前記回収タンクに向けて流すホースを接続可能に構成されている袋。
【請求項７】
シート状の袋本体と、
空気が排出される排気部と、が備えられ、
前記吸込部及び前記排気部は、前記吸込部の開口中心と前記排気部の開口中心とが位置ずれした状態で前記袋本体の対向する面に設けられている請求項６に記載の袋。
【請求項８】
前記吸込部は、前記袋本体の中心線に対して一方側部分に設けられ、
前記排気部は、前記袋本体に中心線に対して他方側部分に設けられている請求項７に記載の袋。
【発明の詳細な説明】
【技術分野】
【０００１】
本発明は、液体を含む回収対象物を回収タンクに回収する掃除機に関する。また、液体を含む回収対象物を回収タンクに回収する掃除機において、回収タンク内に装着され、回収対象物を溜める袋に関する。
【背景技術】
【０００２】
上記のような掃除機及び袋として、例えば、特許文献１に記載の技術が知られている。特許文献１には、液体を含む回収対象物を回収タンク（文献では「液体貯留ケース〔２３〕」）に回収する掃除機であって、回収対象物を回収タンクに向けて流すホース（文献では「集塵用ホース」）と、回収タンク内に装着され、回収対象物を溜める袋（文献では「袋〔５１〕」）と、が備えられている掃除機が開示されている。回収タンクには、ホースが接続される接続部（文献では「吸込導入口〔２０〕」）が設けられている。
【先行技術文献】
【特許文献】
【０００３】
【特許文献１】特許第３１９８４５９号公報
【発明の概要】
【発明が解決しようとする課題】
【０００４】
特許文献１に記載の掃除機では、ホースが回収タンクに接続されているため、回収対象物（例えば、汚水、汚物等）が回収タンクに接触することになる。このため、回収タンクが回収対象物で汚れ易いという問題がある。
【０００５】
上記状況に鑑み、回収タンクが回収対象物で汚れ難い掃除機が要望されている。また、回収タンクが回収対象物で汚れ難い袋が要望されている。
【課題を解決するための手段】
【０００６】
本発明の特徴は、液体を含む回収対象物を回収タンクに回収する掃除機であって、前記回収対象物を前記回収タンクに向けて流すホースと、前記回収タンク内に装着され、前記回収対象物を溜める袋と、が備えられ、前記袋に、前記回収タンクの周壁を貫通する状態で設けられ、前記回収対象物が吸い込まれる吸込部が備えられ、前記吸込部のうち前記周壁から前記回収タンクの外部に突出する突出部分に、前記ホースが接続されていることにある。
【０００７】
本特徴構成によれば、ホースが吸込部に接続されているため、回収対象物が回収タンクに接触することなく吸込部から袋に導入されることになる。これにより、回収タンクが回収対象物で汚れ難くなる。
【０００８】
さらに、本発明において、前記周壁に、前記吸込部が貫通する貫通孔が形成され、前記周壁のうち前記貫通孔の周囲に、前記吸込部が取り付けられる取り付け部材が設けられていると好適である。
【０００９】
本特徴構成によれば、吸込部が貫通孔内でぐらつかないように、吸込部をしっかりと取り付けることができる。
【００１０】
さらに、本発明において、前記突出部分に取り付けられ、前記ホースを前記突出部分に接続する継手部材が備えられ、前記吸込部は、前記吸込部と前記継手部材とで前記取り付け部材を挟んだ状態で前記取り付け部材に取り付けられていると好適である。
【００１１】
本特徴構成によれば、吸込部と継手部材とで取り付け部材を挟持することになる。これにより、吸込部をよりしっかりと取り付けることができる。
【００１２】
さらに、本発明において、前記取り付け部材は、前記回収タンクとは別の部材によって構成され、前記周壁の外周面に着脱可能に取り付けられていると好適である。
【００１３】
本特徴構成によれば、取り付け部材が損傷した際に、取り付け部材を容易に交換することができる。
【００１４】
さらに、本発明において、前記取り付け部材と前記周壁の外周面との間に、前記貫通孔を介して前記回収タンクの外部と前記回収タンクの内部との間で空気が流通するのを防止するシール部材が設けられていると好適である。
【００１５】
本特徴構成によれば、掃除機の吸引力が低下しないように、回収タンクの内部の気密性を保つことができる。
【００１６】
また、本発明の特徴は、液体を含む回収対象物を回収タンクに回収する掃除機において、前記回収タンク内に装着され、前記回収対象物を溜める袋であって、前記回収対象物が吸い込まれる吸込部が備えられ、前記吸込部は、前記回収対象物を前記回収タンクに向けて流すホースを接続可能に構成されていることにある。
【００１７】
本特徴構成によれば、ホースが吸込部に接続されているため、回収対象物が回収タンクに接触することなく吸込部から袋に導入されることになる。これにより、回収タンクが回収対象物で汚れ難くなる。
【００１８】
さらに、本発明において、シート状の袋本体と、空気が排出される排気部と、が備えられ、前記吸込部及び前記排気部は、前記吸込部の開口中心と前記排気部の開口中心とが位置ずれした状態で前記袋本体の対向する面に設けられていると好適である。
【００１９】
ここで、仮に、吸込部及び排気部が吸込部の開口中心と排気部の開口中心とが一致する状態で袋本体の対向する面に設けられている場合、吸込部から吸い込まれた回収対象物が排気部に向かって飛散して排気部から漏れ出ることになり易い。しかし、本特徴構成によれば、吸込部から吸い込まれた回収対象物が袋本体の内面に向かって飛散して袋本体の内面に衝突することになる。これにより、吸込部から吸い込まれた回収対象物が排気部から漏れ出難くなる。
【００２０】
さらに、本発明において、前記吸込部は、前記袋本体の中心線に対して一方側部分に設けられ、前記排気部は、前記袋本体に中心線に対して他方側部分に設けられていると好適である。
【００２１】
本特徴構成によれば、吸込部と排気部との位置ずれ距離が長くなる。これにより、吸込部から吸い込まれた回収対象物が排気部からより漏れ出難くなる。
【図面の簡単な説明】
【００２２】
【図１】掃除機を示す外観図である。
【図２】袋を示す図である。
【図３】ホースと袋との接続構造を示す断面図である。
【図４】ホースと袋との接続構造を示す分解斜視図である。
【発明を実施するための形態】
【００２３】
本発明を実施するための形態について、図面に基づき説明する。
【００２４】
図１には、掃除機を示している。本掃除機は、液体を含む回収対象物（例えば、汚水、汚物等）を回収タンク１に回収する掃除機（湿式の掃除機）である。本掃除機には、回収対象物を回収する回収タンク１と、回収対象物を回収タンク１に向けて流すホース２と、回収タンク１内に装着され、回収対象物を溜める袋３と、回収タンク１の上部に設けられるヘッド部４と、が備えられている。回収タンク１には、一対の前輪５Ｆ及び一対の後輪５Ｂと、移動操作用のハンドル６と、が備えられている。
【００２５】
ヘッド部４は、回収タンク１の上部に着脱可能に取り付けられている。ヘッド部４には、清水を貯留する清水タンク７と、清水タンク７内の清水を圧送する清水ポンプ８と、清水ポンプ８からの清水を散水するためのホース（図示省略）が接続される散水ノズル９と、回収タンク１内の空気を吸引するファンモータ１０と、ファンモータ１０に吸引される空気を濾過する第一フィルタ１１と、ファンモータ１０からの排気を濾過する第二フィルタ１２と、ファンモータ１０等に電力を供給するバッテリ１３と、清水ポンプ８、ファンモータ１０、バッテリ１３及び第二フィルタ１２等を収容するカバー１４と、が備えられている。ファンモータ１０の吸引力によって、回収対象物がホース２を介して回収タンク１に回収されて袋３に溜まることになる。
【００２６】
図１及び図２に示すように、袋３には、長方形シート状の袋本体１５と、回収対象物が吸い込まれる吸込部１６と、空気が排出される排気部１７と、が備えられている。袋本体１５の四辺は、閉じられている。吸込部１６及び排気部１７は、袋本体１５の対向する面に設けられている。具体的には、吸込部１６及び排気部１７は、吸込部１６の開口中心Ｃ１と排気部１７の開口中心Ｃ２とが位置ずれした状態で袋本体１５の対向する面に設けられている。袋３が回収タンク１内に装着されている状態において、吸込部１６と排気部１７とは互いに反対側を向いている。
【００２７】
吸込部１６及び排気部１７は、袋本体１５に溶着されている。吸込部１６と排気部１７とは、同一の部材によって構成されている。吸込部１６の開口径と排気部１７の開口径とは、同一の大きさである。すなわち、吸込部１６の開口径と排気部１７の開口径との比は、一対一である。吸込部１６の外周部には、ネジ部１６ａ及び鍔部１６ｂが形成されている。排気部１７の外周部には、ネジ部１７ａ及び鍔部１７ｂが形成されている。吸込部１６（ネジ部１６ａ）及び排気部１７（ネジ部１７ａ）は、夫々、蓋（図示省略）を取り付け可能に構成されている。排気部１７の開口には、通気性を確保しながら袋３内の回収対象物が漏れ出ないように、フィルタ（例えば、スポンジ、不織布等。図示省略）が取り付けられている。
【００２８】
ここで、袋本体１５の中心線（短手方向）をＣ３、袋本体１５の中心線（長手方向）をＣ４とする。吸込部１６は、袋本体１５の中心線Ｃ３に対して一方側部分に設けられている。排気部１７は、袋本体１５の中心線Ｃ３に対して他方側部分に設けられている。吸込部１６及び排気部１７は、袋本体１５の中心線Ｃ４に対して一方側部分に設けられている。
【００２９】
図３及び図４に示すように、回収タンク１の周壁１ａには、吸込部１６が貫通する貫通孔１ｂが形成されている。貫通孔１ｂは、丸形に形成されている。吸込部１６は、回収タンク１の周壁１ａを貫通する状態で設けられている。回収タンク１の周壁１ａの外周面のうち貫通孔１ｂの周囲には、吸込部１６が取り付けられる取り付け部材１８が設けられている。取り付け部材１８は、回収タンク１とは別の部材によって構成され、回収タンク１の周壁１ａの外周面に着脱可能に取り付けられている。取り付け部材１８は、回収タンク１の周壁１ａにネジ１９（四箇所）によって固定されている。
【００３０】
取り付け部材１８と回収タンク１の周壁１ａの外周面との間には、ガスケット２０（本発明に係る「シール部材」に相当）が設けられている。ガスケット２０は、貫通孔１ｂを介して回収タンク１の外部と回収タンク１の内部との間で空気が流通するのを防止するシール部材である。ガスケット２０は、取り付け部材１８の裏面の全面に亘って設けられている。ネジ１９は、ガスケット２０を貫通する状態で取り付け部材１８を回収タンク１の周壁１ａに固定している。
【００３１】
吸込部１６のうち回収タンク１の周壁１ａから回収タンク１の外部に突出する突出部分１６ｃには、ホース２が接続されている。すなわち、吸込部１６は、ホース２を接続可能に構成されている。吸込部１６の突出部分１６ｃには、ホース２を吸込部１６の突出部分１６ｃに接続する継手部材２１が取り付けられている。すなわち、ホース２は、継手部材２１を介して吸込部１６に接続されている。
【００３２】
継手部材２１は、吸込部１６に対して着脱可能に構成されている。継手部材２１には、ホース２が取り付けられる取り付け部２２と、取り付け部２２を吸込部１６の突出部分１６ｃに固定する固定部２３と、が備えられている。取り付け部２２には、ホース２が外嵌されている。ホース２は、取り付け部２２に直接外嵌されていてもよし、あるいは、別の部材を介して取り付け部２２に外嵌されていてもよい。取り付け部２２のうち固定部２３側の端部は、吸込部１６に挿通されている。
【００３３】
固定部２３は、突出部分１６ｃに外嵌されている。固定部２３の内周部には、ネジ部２３ａが形成されている。固定部２３側のネジ部２３ａと吸込部１６側のネジ部１６ａとがねじ嵌めされることにより、継手部材２１が吸込部１６に取り付けられることになる。吸込部１６は、鍔部１６ｂと固定部２３とで取り付け部材１８を挟んだ状態で取り付け部材１８に取り付けられている。鍔部１６ｂは、取り付け部材１８に裏側から当接している。これにより、吸込部１６がこれ以上回収タンク１の外部に突出することがないように、吸込部１６が位置決めされることになる。
【００３４】
取り付け部２２と固定部２３との間には、取り付け部２２と固定部２３との隙間を空気が流通するのを防止するガスケット２４が設けられている。取り付け部材１８と固定部２３との間には、取り付け部材１８と固定部２３との隙間を空気が流通するのを防止するガスケット２５が設けられている。
【００３５】
回収対象物の回収作業終了後は、固定部２３を緩めて継手部材２１を吸込部１６から取り外してから、吸込部１６を貫通孔１ｂから回収タンク１内に引き抜くことにより、袋３を回収タンク１から取り外すことができる。使用済みの袋３は、吸込部１６及び排気部１７に夫々前記蓋を取り付けて廃棄すればよい。
【００３６】
次に、本発明に係る別実施形態を説明する。
【００３７】
（１）上記実施形態では、ホース２は、継手部材２１を介して吸込部１６に接続されている。しかし、ホース２は、継手部材２１を介さずに吸込部１６に直接接続されていてもよい。
【００３８】
（２）上記実施形態では、取り付け部材１８は、回収タンク１とは別の部材によって構成され、回収タンク１の周壁１ａの外周面に着脱可能に取り付けられている。しかし、取り付け部材１８は、回収タンク１の周壁１ａの一部として回収タンク１の周壁１ａと一体に構成されていてもよい。
【００３９】
（３）上記実施形態では、取り付け部２２と固定部２３との間に、ガスケット２４が設けられている。取り付け部２２と固定部２３との間に、ガスケット２４が設けられていなくてもよい。
【００４０】
（４）上記実施形態では、袋本体１５は、長方形シート状である。しかし、袋本体１５は、正方形シート状であってもよい。
【００４１】
（５）上記実施形態では、吸込部１６及び排気部１７は、袋本体１５の対向する面に設けられている。しかし、吸込部１６及び排気部１７は、袋本体１５の同一の面に設けられていてもよい。
【００４２】
（６）上記実施形態では、吸込部１６の開口径と排気部１７の開口径とは、同一の大きさである。しかし、吸込部１６の開口径と排気部１７の開口径とは、異なる大きさであってもよい。例えば、排気部１７の開口径が吸込部１６の開口径よりも大きくてもよい。あるいは、吸込部１６の開口径が排気部１７の開口径よりも大きくてもよい。
【産業上の利用可能性】
【００４３】
本発明は、液体を含む回収対象物を回収タンクに回収する掃除機に利用可能である。また、液体を含む回収対象物を回収タンクに回収する掃除機において、回収タンク内に装着され、回収対象物を溜める袋に利用可能である。
【符号の説明】
【００４４】
１  回収タンク
１ａ  周壁
１ｂ    貫通孔
２  ホース
３  袋
１５  袋本体
１６  吸込部
１６ｃ  突出部分
１７  排気部
１８  取り付け部材
２０  ガスケット（シール部材）
２１  継手部材
Ｃ１  吸込部の開口中心
Ｃ２  排気部の開口中心
Ｃ３  袋本体の中心線
【図１】
2020198931.tif 000003
【図２】
2020198931.tif 000004
【図３】
2020198931.tif 000005
【図４】
2020198931.tif 000006
【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
液体を含む回収対象物を回収タンクに回収する掃除機であって、
前記回収対象物を前記回収タンクに向けて流すホースと、
前記回収タンク内に装着され、前記回収対象物を溜める袋と、が備えられ、
前記袋に、前記回収タンクの周壁を貫通する状態で設けられ、前記回収対象物が吸い込まれる吸込部が備えられ、
前記吸込部のうち前記周壁から前記回収タンクの外部に突出する突出部分に、前記ホースが接続され、
前記突出部分に取り付けられ、前記ホースを前記突出部分に接続する継手部材が備えられ、
前記継手部材に、前記突出部分に挿通され、前記ホースが取り付けられる取り付け部と、前記突出部分に外嵌され、前記取り付け部を前記突出部分に固定する固定部と、が備えられ、
前記継手部材は、前記取り付け部と前記固定部とで前記突出部分を挟んだ状態で前記突出部分に取り付けられている掃除機。
【請求項２】
前記周壁に、前記吸込部が貫通する貫通孔が形成され、
前記周壁のうち前記貫通孔の周囲に、前記吸込部が取り付けられる取り付け部材が設けられている請求項１に記載の掃除機。
【請求項３】
前記吸込部は、前記吸込部と前記継手部材とで前記取り付け部材を挟んだ状態で前記取り付け部材に取り付けられている請求項２に記載の掃除機。
【請求項４】
前記取り付け部材は、前記回収タンクとは別の部材によって構成され、前記周壁の外周面に着脱可能に取り付けられている請求項２又は３に記載の掃除機。
【請求項５】
前記取り付け部材と前記周壁の外周面との間に、前記貫通孔を介して前記回収タンクの外部と前記回収タンクの内部との間で空気が流通するのを防止するシール部材が設けられている請求項４に記載の掃除機。
【請求項６】
前記シール部材は、前記周壁に対して前記袋とは反対側に配置されている請求項５に記載の掃除機。
【請求項７】
液体を含む回収対象物を回収タンクに回収する掃除機において、前記回収タンク内に装着され、前記回収対象物を溜める袋であって、
シート状の袋本体と、
前記回収対象物が吸い込まれる吸込部と、
空気が排出される排気部と、が備えられ、
前記吸込部は、前記回収対象物を前記回収タンクに向けて流すホースを接続可能に構成され、
前記吸込部及び前記排気部は、前記吸込部が前記袋本体の対向する面の一面から突出し、かつ、前記排気部が前記袋本体の対向する面の他面から突出する状態で前記袋本体の対向する面に設けられている袋。
【請求項８】
前記吸込部と前記排気部とは、同一の部材によって構成されている請求項７に記載の袋。
【請求項９】
前記吸込部及び前記排気部は、前記吸込部の開口中心と前記排気部の開口中心とが位置ずれした状態で前記袋本体の対向する面に設けられている請求項７又は８に記載の袋。
【請求項１０】
前記吸込部は、前記袋本体の中心線に対して一方側部分に設けられ、
前記排気部は、前記袋本体の中心線に対して他方側部分に設けられている請求項７から９の何れか一項に記載の袋。 
【手続補正２】
【補正対象書類名】明細書
【補正対象項目名】全文
【補正方法】変更
【補正の内容】
【発明の詳細な説明】
【技術分野】
【０００１】
本発明は、液体を含む回収対象物を回収タンクに回収する掃除機に関する。また、液体を含む回収対象物を回収タンクに回収する掃除機において、回収タンク内に装着され、回収対象物を溜める袋に関する。
【背景技術】
【０００２】
上記のような掃除機及び袋として、例えば、特許文献１に記載の技術が知られている。特許文献１には、液体を含む回収対象物を回収タンク（文献では「液体貯留ケース〔２３〕」）に回収する掃除機であって、回収対象物を回収タンクに向けて流すホース（文献では「集塵用ホース」）と、回収タンク内に装着され、回収対象物を溜める袋（文献では「袋〔５１〕」）と、が備えられている掃除機が開示されている。回収タンクには、ホースが接続される接続部（文献では「吸込導入口〔２０〕」）が設けられている。
【先行技術文献】
【特許文献】
【０００３】
【特許文献１】特許第３１９８４５９号公報
【発明の概要】
【発明が解決しようとする課題】
【０００４】
特許文献１に記載の掃除機では、ホースが回収タンクに接続されているため、回収対象物（例えば、汚水、汚物等）が回収タンクに接触することになる。このため、回収タンクが回収対象物で汚れ易いという問題がある。
【０００５】
上記状況に鑑み、回収タンクが回収対象物で汚れ難い掃除機が要望されている。また、回収タンクが回収対象物で汚れ難い袋が要望されている。
【課題を解決するための手段】
【０００６】
本発明の特徴は、液体を含む回収対象物を回収タンクに回収する掃除機であって、前記回収対象物を前記回収タンクに向けて流すホースと、前記回収タンク内に装着され、前記回収対象物を溜める袋と、が備えられ、前記袋に、前記回収タンクの周壁を貫通する状態で設けられ、前記回収対象物が吸い込まれる吸込部が備えられ、前記吸込部のうち前記周壁から前記回収タンクの外部に突出する突出部分に、前記ホースが接続され、前記突出部分に取り付けられ、前記ホースを前記突出部分に接続する継手部材が備えられ、前記継手部材に、前記突出部分に挿通され、前記ホースが取り付けられる取り付け部と、前記突出部分に外嵌され、前記取り付け部を前記突出部分に固定する固定部と、が備えられ、前記継手部材は、前記取り付け部と前記固定部とで前記突出部分を挟んだ状態で前記突出部分に取り付けられていることにある。
【０００７】
本特徴構成によれば、ホースが吸込部に接続されているため、回収対象物が回収タンクに接触することなく吸込部から袋に導入されることになる。これにより、回収タンクが回収対象物で汚れ難くなる。
【０００８】
さらに、本発明において、前記周壁に、前記吸込部が貫通する貫通孔が形成され、前記周壁のうち前記貫通孔の周囲に、前記吸込部が取り付けられる取り付け部材が設けられていると好適である。
【０００９】
本特徴構成によれば、吸込部が貫通孔内でぐらつかないように、吸込部をしっかりと取り付けることができる。
【００１０】
さらに、本発明において、前記吸込部は、前記吸込部と前記継手部材とで前記取り付け部材を挟んだ状態で前記取り付け部材に取り付けられていると好適である。
【００１１】
本特徴構成によれば、吸込部と継手部材とで取り付け部材を挟持することになる。これにより、吸込部をよりしっかりと取り付けることができる。
【００１２】
さらに、本発明において、前記取り付け部材は、前記回収タンクとは別の部材によって構成され、前記周壁の外周面に着脱可能に取り付けられていると好適である。
【００１３】
本特徴構成によれば、取り付け部材が損傷した際に、取り付け部材を容易に交換することができる。
【００１４】
さらに、本発明において、前記取り付け部材と前記周壁の外周面との間に、前記貫通孔を介して前記回収タンクの外部と前記回収タンクの内部との間で空気が流通するのを防止するシール部材が設けられていると好適である。
【００１５】
本特徴構成によれば、掃除機の吸引力が低下しないように、回収タンクの内部の気密性を保つことができる。
さらに、本発明において、前記シール部材は、前記周壁に対して前記袋とは反対側に配置されていると好適である。
【００１６】
また、本発明の特徴は、液体を含む回収対象物を回収タンクに回収する掃除機において、前記回収タンク内に装着され、前記回収対象物を溜める袋であって、シート状の袋本体と、前記回収対象物が吸い込まれる吸込部と、空気が排出される排気部と、が備えられ、前記吸込部は、前記回収対象物を前記回収タンクに向けて流すホースを接続可能に構成され、前記吸込部及び前記排気部は、前記吸込部が前記袋本体の対向する面の一面から突出し、かつ、前記排気部が前記袋本体の対向する面の他面から突出する状態で前記袋本体の対向する面に設けられていることにある。
【００１７】
本特徴構成によれば、ホースが吸込部に接続されているため、回収対象物が回収タンクに接触することなく吸込部から袋に導入されることになる。これにより、回収タンクが回収対象物で汚れ難くなる。
さらに、本発明において、前記吸込部と前記排気部とは、同一の部材によって構成されていると好適である。
【００１８】
さらに、本発明において、前記吸込部及び前記排気部は、前記吸込部の開口中心と前記排気部の開口中心とが位置ずれした状態で前記袋本体の対向する面に設けられていると好適である。
【００１９】
ここで、仮に、吸込部及び排気部が吸込部の開口中心と排気部の開口中心とが一致する状態で袋本体の対向する面に設けられている場合、吸込部から吸い込まれた回収対象物が排気部に向かって飛散して排気部から漏れ出ることになり易い。しかし、本特徴構成によれば、吸込部から吸い込まれた回収対象物が袋本体の内面に向かって飛散して袋本体の内面に衝突することになる。これにより、吸込部から吸い込まれた回収対象物が排気部から漏れ出難くなる。
【００２０】
さらに、本発明において、前記吸込部は、前記袋本体の中心線に対して一方側部分に設けられ、前記排気部は、前記袋本体の中心線に対して他方側部分に設けられていると好適である。
【００２１】
本特徴構成によれば、吸込部と排気部との位置ずれ距離が長くなる。これにより、吸込部から吸い込まれた回収対象物が排気部からより漏れ出難くなる。
【図面の簡単な説明】
【００２２】
【図１】掃除機を示す外観図である。
【図２】袋を示す図である。
【図３】ホースと袋との接続構造を示す断面図である。
【図４】ホースと袋との接続構造を示す分解斜視図である。
【発明を実施するための形態】
【００２３】
本発明を実施するための形態について、図面に基づき説明する。
【００２４】
図１には、掃除機を示している。本掃除機は、液体を含む回収対象物（例えば、汚水、汚物等）を回収タンク１に回収する掃除機（湿式の掃除機）である。本掃除機には、回収対象物を回収する回収タンク１と、回収対象物を回収タンク１に向けて流すホース２と、回収タンク１内に装着され、回収対象物を溜める袋３と、回収タンク１の上部に設けられるヘッド部４と、が備えられている。回収タンク１には、一対の前輪５Ｆ及び一対の後輪５Ｂと、移動操作用のハンドル６と、が備えられている。
【００２５】
ヘッド部４は、回収タンク１の上部に着脱可能に取り付けられている。ヘッド部４には、清水を貯留する清水タンク７と、清水タンク７内の清水を圧送する清水ポンプ８と、清水ポンプ８からの清水を散水するためのホース（図示省略）が接続される散水ノズル９と、回収タンク１内の空気を吸引するファンモータ１０と、ファンモータ１０に吸引される空気を濾過する第一フィルタ１１と、ファンモータ１０からの排気を濾過する第二フィルタ１２と、ファンモータ１０等に電力を供給するバッテリ１３と、清水ポンプ８、ファンモータ１０、バッテリ１３及び第二フィルタ１２等を収容するカバー１４と、が備えられている。ファンモータ１０の吸引力によって、回収対象物がホース２を介して回収タンク１に回収されて袋３に溜まることになる。
【００２６】
図１及び図２に示すように、袋３には、長方形シート状の袋本体１５と、回収対象物が吸い込まれる吸込部１６と、空気が排出される排気部１７と、が備えられている。袋本体１５の四辺は、閉じられている。吸込部１６及び排気部１７は、袋本体１５の対向する面に設けられている。具体的には、吸込部１６及び排気部１７は、吸込部１６の開口中心Ｃ１と排気部１７の開口中心Ｃ２とが位置ずれした状態で袋本体１５の対向する面に設けられている。袋３が回収タンク１内に装着されている状態において、吸込部１６と排気部１７とは互いに反対側を向いている。
【００２７】
吸込部１６及び排気部１７は、袋本体１５に溶着されている。吸込部１６と排気部１７とは、同一の部材によって構成されている。吸込部１６の開口径と排気部１７の開口径とは、同一の大きさである。すなわち、吸込部１６の開口径と排気部１７の開口径との比は、一対一である。吸込部１６の外周部には、ネジ部１６ａ及び鍔部１６ｂが形成されている。排気部１７の外周部には、ネジ部１７ａ及び鍔部１７ｂが形成されている。吸込部１６（ネジ部１６ａ）及び排気部１７（ネジ部１７ａ）は、夫々、蓋（図示省略）を取り付け可能に構成されている。排気部１７の開口には、通気性を確保しながら袋３内の回収対象物が漏れ出ないように、フィルタ（例えば、スポンジ、不織布等。図示省略）が取り付けられている。
【００２８】
ここで、袋本体１５の中心線（短手方向）をＣ３、袋本体１５の中心線（長手方向）をＣ４とする。吸込部１６は、袋本体１５の中心線Ｃ３に対して一方側部分に設けられている。排気部１７は、袋本体１５の中心線Ｃ３に対して他方側部分に設けられている。吸込部１６及び排気部１７は、袋本体１５の中心線Ｃ４に対して一方側部分に設けられている。
【００２９】
図３及び図４に示すように、回収タンク１の周壁１ａには、吸込部１６が貫通する貫通孔１ｂが形成されている。貫通孔１ｂは、丸形に形成されている。吸込部１６は、回収タンク１の周壁１ａを貫通する状態で設けられている。回収タンク１の周壁１ａの外周面のうち貫通孔１ｂの周囲には、吸込部１６が取り付けられる取り付け部材１８が設けられている。取り付け部材１８は、回収タンク１とは別の部材によって構成され、回収タンク１の周壁１ａの外周面に着脱可能に取り付けられている。取り付け部材１８は、回収タンク１の周壁１ａにネジ１９（四箇所）によって固定されている。
【００３０】
取り付け部材１８と回収タンク１の周壁１ａの外周面との間には、ガスケット２０（本発明に係る「シール部材」に相当）が設けられている。ガスケット２０は、貫通孔１ｂを介して回収タンク１の外部と回収タンク１の内部との間で空気が流通するのを防止するシール部材である。ガスケット２０は、取り付け部材１８の裏面の全面に亘って設けられている。ネジ１９は、ガスケット２０を貫通する状態で取り付け部材１８を回収タンク１の周壁１ａに固定している。
【００３１】
吸込部１６のうち回収タンク１の周壁１ａから回収タンク１の外部に突出する突出部分１６ｃには、ホース２が接続されている。すなわち、吸込部１６は、ホース２を接続可能に構成されている。吸込部１６の突出部分１６ｃには、ホース２を吸込部１６の突出部分１６ｃに接続する継手部材２１が取り付けられている。すなわち、ホース２は、継手部材２１を介して吸込部１６に接続されている。
【００３２】
継手部材２１は、吸込部１６に対して着脱可能に構成されている。継手部材２１には、ホース２が取り付けられる取り付け部２２と、取り付け部２２を吸込部１６の突出部分１６ｃに固定する固定部２３と、が備えられている。取り付け部２２には、ホース２が外嵌されている。ホース２は、取り付け部２２に直接外嵌されていてもよし、あるいは、別の部材を介して取り付け部２２に外嵌されていてもよい。取り付け部２２のうち固定部２３側の端部は、吸込部１６に挿通されている。
【００３３】
固定部２３は、突出部分１６ｃに外嵌されている。固定部２３の内周部には、ネジ部２３ａが形成されている。固定部２３側のネジ部２３ａと吸込部１６側のネジ部１６ａとがねじ嵌めされることにより、継手部材２１が吸込部１６に取り付けられることになる。吸込部１６は、鍔部１６ｂと固定部２３とで取り付け部材１８を挟んだ状態で取り付け部材１８に取り付けられている。鍔部１６ｂは、取り付け部材１８に裏側から当接している。これにより、吸込部１６がこれ以上回収タンク１の外部に突出することがないように、吸込部１６が位置決めされることになる。
【００３４】
取り付け部２２と固定部２３との間には、取り付け部２２と固定部２３との隙間を空気が流通するのを防止するガスケット２４が設けられている。取り付け部材１８と固定部２３との間には、取り付け部材１８と固定部２３との隙間を空気が流通するのを防止するガスケット２５が設けられている。
【００３５】
回収対象物の回収作業終了後は、固定部２３を緩めて継手部材２１を吸込部１６から取り外してから、吸込部１６を貫通孔１ｂから回収タンク１内に引き抜くことにより、袋３を回収タンク１から取り外すことができる。使用済みの袋３は、吸込部１６及び排気部１７に夫々前記蓋を取り付けて廃棄すればよい。
【００３６】
次に、本発明に係る別実施形態を説明する。
【００３７】
（１）上記実施形態では、ホース２は、継手部材２１を介して吸込部１６に接続されている。しかし、ホース２は、継手部材２１を介さずに吸込部１６に直接接続されていてもよい。
【００３８】
（２）上記実施形態では、取り付け部材１８は、回収タンク１とは別の部材によって構成され、回収タンク１の周壁１ａの外周面に着脱可能に取り付けられている。しかし、取り付け部材１８は、回収タンク１の周壁１ａの一部として回収タンク１の周壁１ａと一体に構成されていてもよい。
【００３９】
（３）上記実施形態では、取り付け部２２と固定部２３との間に、ガスケット２４が設けられている。取り付け部２２と固定部２３との間に、ガスケット２４が設けられていなくてもよい。
【００４０】
（４）上記実施形態では、袋本体１５は、長方形シート状である。しかし、袋本体１５は、正方形シート状であってもよい。
【００４１】
（５）上記実施形態では、吸込部１６及び排気部１７は、袋本体１５の対向する面に設けられている。しかし、吸込部１６及び排気部１７は、袋本体１５の同一の面に設けられていてもよい。
【００４２】
（６）上記実施形態では、吸込部１６の開口径と排気部１７の開口径とは、同一の大きさである。しかし、吸込部１６の開口径と排気部１７の開口径とは、異なる大きさであってもよい。例えば、排気部１７の開口径が吸込部１６の開口径よりも大きくてもよい。あるいは、吸込部１６の開口径が排気部１７の開口径よりも大きくてもよい。
【産業上の利用可能性】
【００４３】
本発明は、液体を含む回収対象物を回収タンクに回収する掃除機に利用可能である。また、液体を含む回収対象物を回収タンクに回収する掃除機において、回収タンク内に装着され、回収対象物を溜める袋に利用可能である。
【符号の説明】
【００４４】
１  回収タンク
１ａ  周壁
１ｂ    貫通孔
２  ホース
３  袋
１５  袋本体
１６  吸込部
１６ｃ  突出部分
１７  排気部
１８  取り付け部材
２０  ガスケット（シール部材）
２１  継手部材
２２ 取り付け部
２３ 固定部
Ｃ１  吸込部の開口中心
Ｃ２  排気部の開口中心
Ｃ３  袋本体の中心線